(57)【要約】【課題】長さの短い媒体を第１の搬送路から第２の搬送路へ確実に搬送できるようにする。【解決手段】ブレード３にプレッシャローラ７を支持すると共に、このプレッシャローラ７に対応するフィードローラ６を第２の搬送路２に設けて、ブレード３を媒体Ｐが第１の搬送路１から第２の搬送路２へ搬送されるように案内する状態にしたとき、プレッシャローラ７がフィードローラ６に当接することで、プレッシャローラ７とフィードローラ６により媒体Ｐが挟持されて搬送される。【選択図】        図１
2004338913.tif 000002
【特許請求の範囲】
【請求項１】
直線状の第１の搬送路と、この第１の搬送路から斜めに分岐あるいは合流する第２の搬送路と、その分岐あるいは合流部に回動可能に設けられた搬送方向切替え用のブレードと、媒体を挟持して前記第１の搬送路及び第２の搬送するローラを備えた媒体搬送装置において、
前記ブレードにプレッシャローラを支持すると共に、このプレッシャローラに対応するフィードローラを第２の搬送路に設けて、
前記ブレードを媒体が第１の搬送路から第２の搬送路へ搬送されるように案内する状態にしたとき、前記ブレードに支持されたプレッシャローラが対応する前記フィードローラに当接するようにしたことを特徴とする媒体搬送装置。
【請求項２】
上下のベルトにより構成される直線状の第１の搬送路と、上下のベルトにより構成され、前記この第１の搬送路から斜めに分岐あるいは合流する第２の搬送路と、その分岐あるいは合流部に回動可能に設けられた搬送方向切替え用のブレードを備えた媒体搬送装置において、
前記ブレードの先端側にプレッシャ部材を設け、
前記ブレードを媒体が第１の搬送路から第２の搬送路へ搬送されるように案内する状態にしたとき、前記プレッシャ部材が前記媒体に当接するようにしたことを特徴とする媒体搬送装置。
【請求項３】
請求項２記載の媒体搬送装置において、
前記プレッシャ部材としてローラを前記ブレードに設けたことを特徴とする媒体搬送装置。
【請求項４】
請求項２記載の媒体搬送装置において、
前記プレッシャ部材として円弧形状の突起を前記ブレードに形成したことを特徴とする媒体搬送装置。
【発明の詳細な説明】
【０００１】
【発明の属する技術分野】
本発明は、発券処理機等の媒体処理機に設けられる媒体搬送装置に関するのもので、搬送路の分岐あるいは合流部にブレードを備えた媒体搬送装置に関するものである。
【０００２】
【従来の技術】
図４は従来の媒体搬送装置の側面図である。
図において１は直線状に設けられた第１の搬送路、２は第２の搬送路で、この第１の搬送路１の途中から第２の搬送路２を斜め方向に分岐、あるいは第１の搬送路１の途中に第２の搬送路２を斜め方向から合流させたものとなっている。
【０００３】
３は第１の搬送路１と第２の搬送路２の分岐部（合流部）に設けられたブレードで、図示しないソレノイド等を駆動源として回動できるようになっている。
４ａ〜４ｃはフィードローラ、５ａ〜５ｃはフィードローラ４ａ〜４ｃと当接するように設けられたプレッシャローラで、これらフィードローラ４ａ〜４ｃとプレッシャローラ５ａ〜５ｃによるローラ対は、ブレード３を挟んでその前後に位置するように第１の搬送路１及び第２の搬送路２に沿って設けられている。
【０００４】
すなわち、ローラ対４ａ，５ａと４ｂ，５ｂは、ブレード３を挟んでその前後に位置するように第１の搬送路１に設けられ、またローラ対４ｃ，５ｃは、第２の搬送路２の所定の位置に設けることによりブレード３の回動を妨げないように配慮されている。
この構成において、矢印Ａ方向から搬送されてきた媒体Ｐは、フィードローラ４ａ〜４ｃとプレッシャローラ５ａ〜５ｃによるローラ対に挟持され、これらフィードローラ４ａ〜４ｃの回転により搬送される。
【０００５】
この場合、ブレード３が実線で示したように第１の搬送路１を遮るように斜めの姿勢に切り替えられているとき、フィードローラ４ａとプレッシャローラ５ａにより挟持されて搬送される媒体Ｐは、ブレード３により斜めに導かれて第２の搬送路２へ案内され、フィードローラ４ｃとプレッシャローラ５ｃにより挟持されて矢印Ｂ方向に搬送されて行く。
【０００６】
また、ブレード３が破線で示したように第１の搬送路１と平行になるような姿勢に切り替えられたときは、媒体Ｐはブレード３によって直進するように案内され、フィードローラ４ｂとプレッシャローラ５ｂにより挟持されて第１の搬送路１を矢印Ｃ方向に搬送されて行く。
【０００７】
【発明が解決しようとする課題】
しかしながら、上述した従来の技術では、媒体を搬送するためのフィードローラとプレッシャローラによるローラ対は、ブレードの可動を妨げないようにブレードの前後に配置されるため、媒体Ｐの長さが図４に示した第１の搬送路１に配置された搬送方向上流側のフィードローラ４ａと第２の搬送路２に配置されたフィードローラ４ｃとの間の距離Ｌより短いと搬送できないという問題を有していた。
【０００８】
本発明はこのような問題を解決することを課題とする。
【０００９】
【課題を解決するための手段】
そのため、本発明は、直線状の第１の搬送路と、この第１の搬送路から斜めに分岐あるいは合流する第２の搬送路と、その分岐あるいは合流部に回動可能に設けられた搬送方向切替え用のブレードと、媒体を挟持して前記第１の搬送路及び第２の搬送するローラを備えた媒体搬送装置において、前記ブレードにプレッシャローラを支持すると共に、このプレッシャローラに対応するフィードローラを第２の搬送路に設けて、前記ブレードが媒体を第１の搬送路と第２の搬送路とに渡って搬送されるように案内する状態にしたとき、前記ブレードに支持されたプレッシャローラが対応する前記フィードローラに当接するようにしたことを特徴とする。
【００１０】
【発明の実施の形態】
以下、図面を参照して本発明による媒体搬送装置の実施の形態について説明する。
図１は第１の実施の形態を示す側面図である。
この第１の実施の形態は、第１の搬送路１と第２の搬送路２の分岐あるいは合流部に設けられたブレード３にプレッシャローラ７を回転可能に支持すると共に、このプレッシャローラ７と対応するようにフィードローラ６を第２の搬送路２に設けたもので、このフィードローラ６は第１の搬送路１に設けたフィードローラ４ａと第２の搬送路２に設けたフィードローラ４ｃとの間に位置し、フィードローラ４ａ〜４ｃと共に、図示しない、モーター等により回転するものとなっている。
【００１１】
尚、この他の構成については、図４を用いて説明した従来の装置と同様になっている。
このような構成による第１の実施の形態の作用について説明する。
図示しないモータ等によりフィードローラ４ａ〜４ｃ及び７が回転した状態において、矢印Ａ方向から搬送されてきた媒体Ｐは、まずフィードローラ４ａとプレッシャローラ５ａにより挟持され、このフィードローラ４ａの回転によりブレード３側に搬送される。
【００１２】
このブレード３が実線で示したように第１の搬送路１を遮るように斜めの姿勢になるように図示しないソレノイド等により切り替えると、フィードローラ４ａの回転により搬送されてきた媒体Ｐは、ブレード３により斜めに導かれて第２の搬送路２へ案内される。
このときブレード３に支持されたプレッシャローラ７はフィードローラ６に当接しており、従って媒体Ｐはフィードローラ６とブレード３に設けられたプレッシャローラ７に挟持されて搬送され、更にフィードローラ４ｃとプレッシャローラ５ｃにより挟持されて矢印Ｂ方向に搬送されて行く。
【００１３】
この場合、フィードローラ４ａとフィードローラ６との間の距離Ｍは、フィードローラ４ａと４ｃとの間の距離Ｌより短いので、媒体Ｐの長さが距離Ｌより短い場合でも搬送を行うことができる。
また、ブレード３が破線で示したように第１の搬送路１と平行になる姿勢に切り替えられた場合は、プレッシャローラ７は媒体Ｐの搬送を妨げない位置に退避した状態になり、この状態で媒体Ｐはブレード３によって直進するように案内され、フィードローラ４ｂとプレッシャローラ５ｂにより挟持されて第１の搬送路１を矢印Ｃ方向に搬送されて行く。
【００１４】
この場合、媒体Ｐはフィードローラ４ａと４ｂとの間の距離よりも長いことが必要である。
以上説明したように第１の実施の形態では、第１の搬送ローラと第２の搬送路の分岐あるいは合流部に設けられるブレードにプレッシャローラを支持すると共に、このプレッシャローラに対応するフィードローラを第２の搬送路に設けて、前記ブレードが媒体を第１の搬送路と第２の搬送路とに渡って搬送されるように案内する状態にしたとき、前記ブレードに支持されたプレッシャローラが対応する前記フィードローラに当接するようにしているため、長さの短い媒体でも搬送できるという効果が得られる。
【００１５】
図２は第２の実施の形態を示す側面図、図３は第２の実施の形態の平面図である。
この第２の実施の形態は、第１の搬送路と第２の搬送路を複数の搬送ベルト８ａ〜８ｅと、これら各搬送ベルト８ａ〜８ｅを回転可能に支持するプーリ９によって構成される搬送装置に適用されるもので、所定のプーリ９が図示しないモータ等により駆動されることで各搬送ベルト８ａ〜８ｅは回転するようになっている。
【００１６】
ここで、搬送ベルト８ａと８ｂと８ｅは直線状の第１の搬送路を形成し、搬送ベルト８ｃと８ｄはこの第１の搬送路から斜めに分岐あるいは合流する第２の搬送路を形成しており、そして分岐あるいは合流部側のにおける搬送ベルト８ｄの端部は、上方に位置する搬送ベルト８ｅとの干渉を避ける搬送ベルト８ｃの端部よりずれた位置に配置されている。
【００１７】
１０は第１の搬送路と第２の搬送路の分岐あるいは合流部に設けられたブレードで、図示しないソレノイド等を駆動源として回動するものとなっている。
このブレード１０は第１，第２の搬送路を成す搬送ベルト８ｂ，８ｃを避けて回動できる形状に形成されている。
例えば、図３に示したように搬送ベルト８ｂが２本平行に設けられ、搬送ベルト８ａと８ｃも同様に２本ずつ平行に設けられているものとすると、ブレード１０は櫛葉を成すように形成することで搬送ベルト８ａ〜８ｃと干渉することなく回動できるようになっている。
【００１８】
１１はプレッシャ部材としてのローラで、ブレード１０の中央部の先端側に回転自在に支持されており、搬送ベルト８ｃの端部付近に位置している。
１２は搬送ベルト８ａから搬送ベルト８ｃに亘るように設けられれたガイドである。
上述した構成による第２の実施の形態の作用について説明する。
【００１９】
図示しないモータ等によりプーリ９を介して搬送ベルト８ａ〜８ｅが回転した状態において、矢印Ａ方向から搬送されてきた媒体Ｐは、搬送ベルト８ａ、８ｂにより挟持され、この搬送ベルト８ａ、８ｂの回転によりブレード１０側に搬送される。
このブレード１０が実線で示したように第１の搬送路１を遮るように斜めの姿勢になるように図示しないソレノイド等により切り替えると、搬送ベルト８ａ、８ｂにより挟持されて搬送されてきた媒体Ｐはブレード３により斜めに導かれ、ガイド１２上を通過して第２の搬送路へ案内される。
【００２０】
このときブレード１０に支持されているローラ１１は第２の搬送路を成す搬送ベルト８ｃの上面と同一あるいはそれより低い位置になるように制御され、そのため、ローラ１１は媒体Ｐの当接して搬送ベルト８ｃ上に押しつける。
これにより媒体Ｐには搬送ベルト８ｃの回転力が与えられて、搬送ベルト８ｄ側に送られ、更に、この媒体Ｐは搬送ベルト８ｃと８ｄに挟持されて矢印Ｂ方向に搬送されて行く。
【００２１】
この場合、搬送ベルト８ａ端部のプーリ９とローラ１１との間の距離Ｍ１は、搬送ベルト８ａ端部のプーリ９と搬送ベルト８ｄ端部のプーリ９との間の距離Ｌ１より短いので、媒体Ｐの長さが距離Ｌ１より短い場合でも搬送を行うことができる。
また、ブレード１０が破線で示したように第１の搬送路１と平行になる姿勢に切り替えられた場合、ローラ１１は媒体Ｐの搬送を妨げない位置に退避した状態になり、この状態で媒体Ｐはブレード１０によって直進するように案内され、搬送ベルト８ｂと８ｅにより挟持されて第１の搬送路を矢印Ｃ方向に搬送されて行く。
【００２２】
この場合、媒体Ｐは搬送ベルト８ｂと８ｅの対向する端部間の距離よりも長いことが必要である。
以上説明したように第２の実施の形態によれば、第１の搬送路と第２の搬送路の分岐あるいは合流部に設けられたブレードにローラを支持して設けて、前記ブレードを媒体が第１の搬送路と第２の搬送路とに渡って搬送されるように案内する状態にしたとき、前記ブレードに支持されたローラが媒体に当接して第２の搬送路の搬送ベルトに押しつけるようにしているため、長さの短い媒体でも搬送できるという効果が得られる。
【００２３】
尚、上述した各実施の形態では、媒体を矢印Ａ方向からＢ方向またはＣ方向に搬送するものとしたが、逆の方向に搬送する場合でも、適用可能である。
また、上述した第２の実施の形態ではプレッシャ部材としてローラ１１をブレード１０に支持するものとしたが、円弧形状の突起形状をプレッシャ部材としてブレード１０に形成してもよく、ローラ１１の場合と同様に媒体Ｐに搬送力を与えることができる。
【００２４】
【発明の効果】
以上説明したように、本発明は、直線状の第１の搬送路と、この第１の搬送路から斜めに分岐あるいは合流する第２の搬送路と、その分岐あるいは合流部に回動可能に設けられた搬送方向切替え用のブレードとを備えた装置いおいて、媒体を第１の搬送路と第２の搬送路とに渡って搬送されるように案内する場合、長さの短い媒体でも確実に搬送できるという効果が得られる。
【図面の簡単な説明】
【図１】第１の実施の形態を示す側面図
【図２】第２の実施の形態を示す側面図
【図３】第２の実施の形態を示す平面図
【図４】従来技術を示す側面図
【符号の説明】
１  第１の搬送路
２  第２の搬送路
３  ブレード
４ａ〜４ｃ  フィードローラ
５ａ〜５ｃ  プレッシャローラ
６  フィードローラ
７  プレッシャローラ
８ａ〜８ｅ  搬送ベルト
９  プーリ
１０  ブレード
１１  ローラ
【図１】
2004338913.tif 000003
【図２】
2004338913.tif 000004
【図３】
2004338913.tif 000005
【図４】
2004338913.tif 000006